(57)【要約】【課題】積層ストリップラインフィルタにおいて、小型で、異なる周波数の減衰極をもつフィルタ特性を実現することのできる積層ストリップラインフィルタを提供する。【解決手段】順次積層された第１〜第３の誘電体層内１０〜１２に、第１および第２の共振器３０・３１が第２の誘電体層１１を挟んでそれぞれの少なくとも一部が積層方向から見て重なるように平行に配されるとともに、第１および第３の共振器３０・３２が第２の誘電体層１１を挟んでそれぞれの少なくとも一部が積層方向から見て重なるように平行に配され、共振器を構成する矩形状共振電極の幅、共振器の重なり部分の幅がそれぞれ異なっている構成の積層ストリップラインフィルタである。【選択図】  図１
2004260376.tif 000002
【特許請求の範囲】
【請求項１】
第１の誘電体層と、該第１の誘電体層の上に積層された第２の誘電体層と、該第２の誘電体層の上に積層された第３の誘電体層と、前記第１の誘電体層の下面に配された第１の接地電極と、前記第１および第２の誘電体層の間に配された第１の片端開放矩形状共振電極および第１の片端短絡矩形状共振電極と、前記第２および第３の誘電体層の間に配された、第２の片端開放矩形状共振電極および第２の片端短絡矩形状共振電極、ならびに第３の片端開放矩形状共振電極および第３の片端短絡矩形状共振電極と、前記第４の誘電体層の上面に配された第２の接地電極とから成り、
前記第１および第２の片端開放矩形状共振電極は前記第２の誘電体層を挟んでそれぞれの少なくとも一部が積層方向から見て重なるように平行に配されるとともに、前記第１および第３の片端開放矩形状共振電極は前記第２の誘電体層を挟んでそれぞれの少なくとも一部が積層方向から見て重なるように平行に配され、
前記第１および第２の片端短絡矩形状共振電極は前記第２の誘電体層を挟んでそれぞれの少なくとも一部が積層方向から見て重なるように平行に配されるとともに、前記第１および第３の片端短絡矩形状共振電極は前記第２の誘電体層を挟んでそれぞれ少なくとも一部が積層方向から見て重なるように平行に配され、
前記第１および第２の接地電極は積層方向から見て前記第１乃至第３の片端開放矩形状共振電極ならびに前記第１乃至第３の片端短絡矩形状共振電極を覆うように配され、
前記第１の片端開放矩形状共振電極の開放端と反対側の端部と、前記第１の片端短絡矩形状共振電極の短絡端と反対側の端部とを電気的に接続して第１の共振器を形成し、
前記第２の片端開放矩形状共振電極の開放端と反対側の端部と、前記第２の片端短絡矩形状共振電極の短絡端と反対側の端部とを電気的に接続して第２の共振器を形成し、
前記第３の片端開放矩形状共振電極の開放端と反対側の端部と、前記第３の片端短絡矩形状共振電極の短絡端と反対側の端部とを電気的に接続して第３の共振器を形成し、
前記第１の片端開放矩形状共振電極と前記第２および第３の片端開放矩形状共振電極との重なり幅を、それぞれ異なる寸法とするとともに、前記第１の片端短絡矩形状共振電極と前記第２および第３の片端短絡矩形状共振電極との重なり幅を、それぞれ異なる寸法としており、
前記第２の共振器に入力端子ならびに前記第３の共振器に出力端子が電気的に接続されるか、または前記第２の共振器に出力端子ならびに前記第３の共振器に入力端子が電気的に接続されていることを特徴とする積層ストリップラインフィルタ。
【請求項２】
前記各接地電極が、または前記各片端短絡矩形状共振電極の前記短絡端および前記各接地電極が、前記誘電体層の内部に形成された貫通導体および／または側面に形成された側面導体により積層方向に電気的に接続されていることを特徴とする請求項１記載の積層ストリップラインフィルタ。
【発明の詳細な説明】
【０００１】
【発明の属する技術分野】
本発明は、例えば携帯電話や無線ＬＡＮ等の無線通信機器その他の各種通信機器等において使用される積層ストリップラインフィルタに関するものである。
【０００２】
【従来の技術】
近年、携帯電話機等の移動体通信機器等に使用されるフィルタは、移動体通信機器等の薄型化・小型化の要求に伴い、誘電体同軸型共振器を用いたフィルタから分布定数回路を共振器に用いた積層ストリップラインフィルタへと進展してきている。
【０００３】
このような積層ストリップラインフィルタとして、図４に透視斜視図、図５に透視平面図、図６に図５におけるｂ−ｂ’線断面図で示す構成のものが提案されている（例えば、特許文献１参照）。
【０００４】
図４〜図６において、４０は第１の誘電体層、４１は第１の誘電体層４０の上に積層された第２の誘電体層、４２は第２の誘電体層４１の上に積層された第３の誘電体層、５０は第１の誘電体層４０の下面に配された第１の接地電極、５１は第３の誘電体層４２の上面に配された第２の接地電極、５２および５３は第１および第２の誘電体層４０・４１の間に配した第１の片端開放矩形状共振電極および第１の片端短絡矩形状共振電極、５４および５５は第２および第３の誘電体層４１・４２の間に配した第２の片端開放矩形状共振電極および第２の片端短絡矩形状共振電極、５６および５７は第２および第３の誘電体層４１・４２の間に配した第３の片端開放矩形状共振電極および第３の片端短絡矩形状共振電極、５８は第１〜第３の片端開放矩形状共振電極５２・５４・５６のそれぞれの開放端、５９は第１〜第３の片端短絡矩形状共振電極５３・５５・５７のそれぞれの短絡端である。
【０００５】
そして、図５および図６のＷＡ・ＷＢ・ＷＣ・ＷＤに示すように、第１および第２の片端開放矩形状共振電極５２・５４は第２の誘電体層４１を挟んでそれぞれの少なくとも一部が積層方向から見てＷＡの幅で重なるように平行に配されるとともに、第１および第３の片端開放矩形状共振電極５２・５６は第２の誘電体層４１を挟んでそれぞれの少なくとも一部が積層方向から見てＷＢの幅で重なるように平行に配されている。また、第１および第２の片端短絡矩形状共振電極５３・５５は第２の誘電体層４１を挟んでそれぞれの少なくとも一部が積層方向から見てＷＣの幅で重なるように平行に配されるとともに、第１および第３の片端短絡矩形状共振電極５３・５７は第２の誘電体層４１を挟んでそれぞれの少なくとも一部が積層方向から見てＷＤの幅で重なるように平行に配されている。
【０００６】
また、第１および第２の接地電極５０・５１は積層方向から見て第１〜第３の片端開放矩形状共振電極５２・５４・５６ならびに第１〜第３の片端短絡矩形状共振電極５３・５５・５７を覆うように配されている。
【０００７】
そして、第１の片端開放矩形状共振電極５２の開放端５８と反対側の端部と、第１の片端短絡矩形状共振電極５３の短絡端５９と反対側の端部とを電気的に接続して第１の共振器を形成し、第２の片端開放矩形状共振電極５４の開放端５８と反対側の端部と、第２の片端短絡矩形状共振電極５５の短絡端５９と反対側の端部とを電気的に接続して第２の共振器を形成し、第３の片端開放矩形状共振電極５６の開放端５８と反対側の端部と、第３の片端短絡矩形状共振電極５７の短絡端５９と反対側の端部とを電気的に接続して第３の共振器を形成している。
【０００８】
そして、第２の共振器と第３の共振器は中心軸ｃ−ｃ’に関して線対称な形状で対称な位置に配され、また、第１の共振器は中心軸ｃ−ｃ’に関して線対称な形状に形成されている。
【０００９】
そして、さらに、第２の共振器に入力（出力）端子が電気的に接続され、第３の共振器に出力（入力）端子が電気的に接続されている。
【００１０】
そして、第２の片端開放矩形状共振電極５４と第３の片端開放矩形状共振電極５６との距離Ｗｏｐｅｎまたは、第２の片端開短絡形状共振電極５５と第３の片端短絡矩形状共振電極５７との距離Ｗｓｈｏｒｔを調整することにより、通過帯域に対して高域側もしくは低域側にそれぞれ減衰極を１個有するフィルタ特性を実現していた。また、共振器を追加して複数用いることで、異なる周波数の減衰極を２個以上有するフィルタ特性を実現していた。
【００１１】
【特許文献１】
特開平８−７０２０１号公報
【００１２】
【発明が解決しようとする課題】
しかしながらこのような従来の積層ストリップラインフィルタは、線対称な構造であるので、電極形状や共振器電極の重なり部分の形状ＷＡ・ＷＢ・ＷＣ・ＷＤが、中心軸ｃ−ｃ’に関して左右同一にならざるを得ない。フィルタ特性の減衰極は各共振電極の重なり部分での電磁界結合によって発生するが、従来の構造では中心軸ｃ−ｃ’に関して左右の重なり部分の形状が同一であるので電磁界結合量が同じになり、その結果減衰極の周波数が単一の特性しか得られず、異なる複数の減衰極をもつフィルタ特性を実現できないという問題点があった。また、異なる複数の減衰極をもつフィルタ特性を実現するには、重なり部分の形状が異なる軸対称な構造の共振器を追加しなければならず、フィルタ全体の外形が大型化してしまうという問題点があった。
【００１３】
本発明は上記問題点に鑑みて案出されたものであり、その目的は、積層ストリップラインフィルタにおいて、小型で、異なる周波数の減衰極をもつフィルタ特性を実現することのできる積層ストリップラインフィルタを提供することにある。
【００１４】
【課題を解決するための手段】
本発明の積層ストリップラインフィルタは、第１の誘電体層と、この第１の誘電体層の上に積層された第２の誘電体層と、この第２の誘電体層の上に積層された第３の誘電体層と、前記第１の誘電体層の下面に配された第１の接地電極と、前記第１および第２の誘電体層の間に配された第１の片端開放矩形状共振電極および第１の片端短絡矩形状共振電極と、前記第２および第３の誘電体層の間に配された、第２の片端開放矩形状共振電極および第２の片端短絡矩形状共振電極、ならびに第３の片端開放矩形状共振電極および第３の片端短絡矩形状共振電極と、前記第４の誘電体層の上面に配された第２の接地電極とから成り、前記第１および第２の片端開放矩形状共振電極は前記第２の誘電体層を挟んでそれぞれの少なくとも一部が積層方向から見て重なるように平行に配されるとともに、前記第１および第３の片端開放矩形状共振電極は前記第２の誘電体層を挟んでそれぞれの少なくとも一部が積層方向から見て重なるように平行に配され、前記第１および第２の片端短絡矩形状共振電極は前記第２の誘電体層を挟んでそれぞれの少なくとも一部が積層方向から見て重なるように平行に配されるとともに、前記第１および第３の片端短絡矩形状共振電極は前記第２の誘電体層を挟んでそれぞれ少なくとも一部が積層方向から見て重なるように平行に配され、前記第１および第２の接地電極は積層方向から見て前記第１乃至第３の片端開放矩形状共振電極ならびに前記第１乃至第３の片端短絡矩形状共振電極を覆うように配され、前記第１の片端開放矩形状共振電極の開放端と反対側の端部と、前記第１の片端短絡矩形状共振電極の短絡端と反対側の端部とを電気的に接続して第１の共振器を形成し、前記第２の片端開放矩形状共振電極の開放端と反対側の端部と、前記第２の片端短絡矩形状共振電極の短絡端と反対側の端部とを電気的に接続して第２の共振器を形成し、前記第３の片端開放矩形状共振電極の開放端と反対側の端部と、前記第３の片端短絡矩形状共振電極の短絡端と反対側の端部とを電気的に接続して第３の共振器を形成し、前記第１の片端開放矩形状共振電極と前記第２および第３の片端開放矩形状共振電極との重なり幅を、それぞれ異なる寸法とするとともに、前記第１の片端短絡矩形状共振電極と前記第２および第３の片端短絡矩形状共振電極との重なり幅を、それぞれ異なる寸法としており、前記第２の共振器に入力端子ならびに前記第３の共振器に出力端子が電気的に接続されるか、または前記第２の共振器に出力端子ならびに前記第３の共振器に入力端子が電気的に接続されていることを特徴とするものである。
【００１５】
本発明の積層ストリップラインフィルタによれば、前記第１の片端開放矩形状共振電極と前記第２および第３の片端開放矩形状共振電極との重なり幅は、それぞれ異なる寸法とするとともに、前記第１の片端短絡矩形状共振電極と前記第２および第３の片端短絡矩形状共振電極との重なり幅は、それぞれ異なる寸法としていることから、第１と第２ならびに第１と第３の共振電極のそれぞれの重なり部分の形状が異なり、この結果、第１と第２ならびに第１と第３の共振電極間の電磁界結合量が異なることとなるので、互いに周波数の異なる減衰極を発生させることができる。
【００１６】
また、本発明の積層ストリップラインフィルタは、上記構成において、前記各接地電極が、または前記各片端短絡矩形状共振電極の前記短絡端および前記各接地電極が、前記誘電体層の内部に形成された貫通導体および／または側面に形成された側面導体により積層方向に電気的に接続されていることを特徴とするものである。
【００１７】
これにより、積層された複数の誘電体層の内部に形成する積層ストリップラインフィルタの設計自由度が向上するとともに、小型で高性能な積層ストリップラインフィルタを提供することができる。
【００１８】
【発明の実施の形態】
以下、本発明の積層ストリップラインフィルタを図面を参照しつつ説明する。
【００１９】
図１は本発明の積層ストリップラインフィルタの実施の形態の一例を示す透視斜視図であり、図２は図１を積層方向から見た透視平面図、図３は図２におけるａ−ａ’線断面図である。図１〜図３において、１０は第１の誘電体層、１１は第１の誘電体層１０の上に積層された第２の誘電体層、１２は第２の誘電体層１１の上に積層された第３の誘電体層、２０は第１の誘電体層１０の下面に配された第１の接地電極、２１は第３の誘電体層１２の上面に配された第２の接地電極、２２および２３は第１および第２の誘電体層１０・１１の間に配した第１の片端開放矩形状共振電極および第１の片端短絡矩形状共振電極、２４および２５は第２および第３の誘電体層１１・１２の間に配した第２の片端開放矩形状共振電極および第２の片端短絡矩形状共振電極、２６および２７は第２および第３の誘電体層１１・１２の間に配した第３の片端開放矩形状共振電極、および第３の片端短絡矩形状共振電極、２８は第１〜第３の片端開放矩形状共振電極２２・２４・２６のそれぞれの開放端、２９は第１〜第３の片端短絡矩形状共振電極２３・２５・２７のそれぞれの短絡端である。第１〜第３の片端短絡矩形状共振電極２３・２５・２７は、第１の接地電極２０および第２の接地電極２１に電気的に接続されて短絡されている（図示せず）。
【００２０】
そして、図２および図３のＷＡ・ＷＢ・ＷＣ・ＷＤに示すように、第１および第２の片端開放矩形状共振電極２２・２４は、第２の誘電体層１１を挟んでそれぞれの少なくとも一部が積層方向から見てＷＡの幅で重なるような重なり幅で平行に配されるとともに、第１および第３の片端開放矩形状共振電極２２・２６は第２の誘電体層１１を挟んでそれぞれの少なくとも一部が積層方向から見てＷＢの幅で重なるような重なり幅で平行に配されている。また、第１および第２の片端短絡矩形状共振電極２３・２５は第２の誘電体層１１を挟んでそれぞれの少なくとも一部が積層方向から見てＷＣの幅で重なるような重なり幅で平行に配されるとともに、第１および第３の片端短絡矩形状共振電極２３・２７は第２の誘電体層１１を挟んでそれぞれの少なくとも一部が積層方向から見てＷＤの幅で重なるような重なり幅で平行に配されている。また、第１および第２の接地電極２０・２１は積層方向から見て第１〜第３の片端開放矩形状共振電極２２・２４・２６ならびに第１〜第３の片端短絡矩形状共振電極２３・２５・２７を覆うように配されている。
【００２１】
そして、第１の片端開放矩形状共振電極２２の開放端２８と反対側の端部と、第１の片端短絡矩形状共振電極２３の短絡端２９と反対側の端部とを電気的に接続して第１の共振器３０を形成し、第２の片端開放矩形状共振電極２４の開放端２８と反対側の端部と、第２の片端短絡矩形状共振電極２５の短絡端２９と反対側の端部とを電気的に接続して第２の共振器３１を形成し、第３の片端開放矩形状共振電極２６の開放端２８と反対側の端部と、第３の片端短絡矩形状共振電極２７の短絡端２９と反対側の端部とを電気的に接続して第３の共振器３２を形成している。
【００２２】
さらに、第１の片端開放矩形状共振電極２２と第２および第３の片端開放矩形状共振電極２４・２６とが積層方向から見て重なる部分の幅、すなわち重なり幅ＷＡ・ＷＢをそれぞれ異なる寸法とするとともに、第１の片端短絡矩形状共振電極２３と第２および第３の片端短絡矩形状共振電極とが積層方向から見て重なる部分の重なり幅ＷＣ・ＷＤを、それぞれ異なる寸法としてある。
【００２３】
第１〜第３の片端開放矩形状共振電極の幅Ｗ２２・Ｗ２４・Ｗ２６をそれぞれ異なる寸法とし、第１〜第３の片端短絡矩形状共振電極の幅Ｗ２３・Ｗ２５・Ｗ２７をそれぞれ異なる寸法とすることにより、または、これら第１〜第３の片端開放矩形状共振電極および片端短絡矩形状共振電極２２〜２７の幅方向の配置を変更することにより、または、これらを組み合わせることにより、第１の片端開放矩形状共振電極２２と第２および第３の片端開放矩形状共振電極２４・２６との重なり幅ＷＡ・ＷＢを異なる寸法とするとともに、第１の片端短絡矩形状共振電極２３と第２および第３の片端短絡矩形状共振電極２５・２７との重なり幅ＷＣ・ＷＤを異なる寸法とすることができて、重なり幅ＷＡと重なり幅ＷＣとで、また重なり幅ＷＢと重なり幅ＷＤとで形成される部分の面積が異なることとなり、この部分で生じる電磁界結合量を相互に異なったものとすることができる。
【００２４】
そして、第１の片端開放矩形状共振電極２２と第２の片端開放矩形状共振電極２４との重なり幅ＷＡおよび第１の片端短絡矩形状共振電極２３と第２の片端短絡矩形状共振電極２５との重なり幅ＷＣによって第１と第２の共振器３０・３１間に電磁界結合による共振回路を形成することができ、第１の減衰極を発生させることができる。また、第１の片端開放矩形状共振電極２２と第３の片端開放矩形状共振電極２６との重なり幅ＷＢおよび第１の片端短絡矩形状共振電極２３と第３の片端短絡矩形状共振電極２７との重なり幅ＷＤによって第１と第３の共振器３０・３２間に先の電磁界結合と異なる電磁界結合量によるもう一つの共振回路を形成することができ、第２の減衰極を発生させることができる。
【００２５】
なお、第１〜第３の片端開放矩形状電極２２・２４・２６の幅Ｗ２２・Ｗ２４・Ｗ２６に対する第１〜第３の片端短絡矩形状共振電極２３・２５・２７の幅Ｗ２３・Ｗ２５・Ｗ２７、ならびに第１の片端開放矩形状共振電極２２と第２および第３の片端開放矩形状共振電極２４・２６との重なり幅ＷＡ・ＷＢに対する第１の片端短絡矩形状共振電極２３と第２および第３の片端短絡矩形状共振電極との重なり幅ＷＣ・ＷＤとは、実現するフィルタ特性によってそれぞれ異なる寸法に形成される。
【００２６】
そして、さらに、第２の共振器３１に入力端子３３が電気的に接続され、第３の共振器３２に出力端子３４が電気的に接続されて外部回路に接続される。なお、必要に応じて入力端子３３を出力端子とし、出力端子３４を入力端子とすることもできる。
【００２７】
このような構成の本発明の積層ストリップラインフィルタは、第１および第２の接地電極２０・２１が、または第１および第２の接地電極２０・２１および第１〜第３の片端短絡矩形状共振電極２３・２５・２７の短絡端２９が、誘電体層の内部に形成された貫通導体（図示せず）により、または誘電体層の側面に形成された側面導体（図示せず）により、またはこれら貫通導体および側面導体により積層方向に電気的に接続される構成とすることにより、適用するフィルタの構造に対して適宜３次元的な配線設計が可能となるので、積層された複数の誘電体層の内部に形成する積層ストリップラインフィルタの設計自由度が向上し、小型で高性能な積層ストリップラインフィルタを提供することができる。
【００２８】
本発明の積層ストリップラインフィルタを形成するに当たり、第１〜第３の誘電体層１０〜１２、第１および第２の接地電極２０・２１、第１〜第３の片端開放矩形状共振電極２２・２４・２６、第１〜第３の片端短絡矩形状共振電極２３・２５・２７は、周知の高周波用配線基板に使用される種々の材料・形態のものを使用することができる。
【００２９】
本発明の積層ストリップラインフィルタに用いる第１〜第３の誘電体層１０〜１２としては、例えばアルミナセラミックス・ムライトセラミックス等のセラミックス材料やガラスセラミックス等の無機系材料、あるいは四ふっ化エチレン樹脂（ポリテトラフルオロエチレン；ＰＴＦＥ）・四ふっ化エチレン−エチレン共重合樹脂（テトラフルオロエチレン−エチレン共重合樹脂；ＥＴＦＥ）・四ふっ化エチレン−パーフルオロアルコキシエチレン共重合樹脂（テトラフルオロエチレン−パーフルオロアルキルビニルエーテル共重合樹脂；ＰＦＡ）等のフッ素樹脂やガラスエポキシ樹脂・ポリイミド等の樹脂系材料等が用いられる。これらの材料による第１〜第３の誘電体層１０〜１１の形状や寸法（厚みや幅・長さ）は、使用される周波数や用途等に応じて設定される。
【００３０】
本発明の積層ストリップラインフィルタにおける第１および第２の接地電極２０・２１、第１〜第３の片端開放矩形状共振電極２２・２４・２６、第１〜第３の片端短絡矩形状共振電極２３・２５・２７、貫通導体または側面導体は、高周波信号伝送用の金属材料の導体層、例えばＣｕ層・Ｍｏ−Ｍｎのメタライズ層上にＮｉメッキ層およびＡｕメッキ層を被着させたもの・Ｗのメタライズ層上にＮｉメッキ層およびＡｕメッキ層を被着させたもの・Ｃｒ−Ｃｕ合金層・Ｃｒ−Ｃｕ合金層上にＮｉメッキ層およびＡｕメッキ層を被着させたもの・Ｔａ２Ｎ層上にＮｉ−Ｃｒ合金層およびＡｕメッキ層を被着させたもの・Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅も、伝送される高周波信号の周波数や用途等に応じて設定される。
【００３１】
本発明の積層ストリップラインフィルタに用いる第１〜第３の誘電体層１０〜１２の作製にあたっては、例えば誘電体層がガラスセラミックスから成る場合であれば、まず誘電体層となるガラスセラミックスのグリーンシートを準備し、これに所定の打ち抜き加工を施して貫通導体となる貫通孔を形成した後、スクリーン印刷法によりＣｕ等の導体ペーストを貫通孔に充填するとともに、所定の伝送線路パターンおよびその他の導体層のパターンを印刷塗布する。次に、８５０〜１０００℃で焼成を行ない、最後に外表面に露出している導体層上にＮｉメッキおよびＡｕメッキを施す。
【００３２】
【実施例】
実施例として、図１〜図３に示す構成の本発明の積層ストリップラインフィルタにおいて、通過帯域に対して高域側と低域側にそれぞれ減衰極を１個ずつ有するフィルタ特性を実現する構造モデルを、３次元電磁界解析シミュレータ上に作製し、シミュレーション解析を行なった。
【００３３】
例えば、図１〜図３に示す構成の本発明の積層ストリップラインフィルタにおけるシミュレーションの場合、第１〜第３の誘電体層１０〜１２の厚みをそれぞれ第１の誘電体層ｈ１＝０．２ｍｍ、第２の誘電体層ｈ２＝０．２ｍｍ、第３の誘電体層ｈ３＝０．２ｍｍ、とし、
第１〜第３の片端開放矩形状共振電極２２・２４・２６の各共振電極の幅Ｗ２２・Ｗ２４・Ｗ２６ならびに各共振電極の長さＬ２２・Ｌ２４・Ｌ２６をそれぞれ、Ｗ２２＝２．３５ｍｍ、Ｗ２４＝１．２ｍｍ、Ｗ２６＝１．３４ｍｍ、Ｌ２２＝Ｌ２４＝Ｌ２６＝２．３６７ｍｍとし、
第１〜第３の片端短絡矩形状共振電極２３・２５・２７の各共振電極の幅Ｗ２３・Ｗ２５・Ｗ２７ならびに各共振電極の長さＬ２３・Ｌ２５・Ｌ２７をそれぞれ、Ｗ２３＝２．３５ｍｍ、Ｗ２５＝１．３４ｍｍ、Ｗ２７＝１．２ｍ、Ｌ２３＝Ｌ２５＝Ｌ２７＝２．３６７ｍｍとし、
第１および第２の片端開放矩形状共振電極２２・２４が積層方向から見て重なる部分の幅ＷＡ＝０．５５ｍｍ、第１および第２の片端短絡矩形状共振電極２３・２５が積層方向から見て重なる部分の重なり幅ＷＣ＝０．２２ｍｍとし、
第１および第３の片端開放矩形状共振電極２２・２６が積層方向から見て重なる部分の幅ＷＢ＝０．２２ｍｍ、第１および第３の片端短絡矩形状共振電極２３・２７が積層方向から見て重なる部分の重なり幅ＷＤ＝０．５５ｍｍとしている。シミュレーションの際に用いた各誘電体層の比誘電率は７．７に設定した。
【００３４】
図７に上記条件でのシミュレーション結果を示す。図７において、横軸は周波数（単位：ＧＨｚ）を、縦軸は挿入損失（単位：ｄＢ）を表す。図７に示す結果から分かるように、通過帯域に対し低域側と高域側にそれぞれ異なる周波数の減衰極ｆｒ１およびｆｒ２が発生していることが分かる。
【００３５】
減衰極は、第１の片端開放（短絡）矩形状共振電極２２（２３）と第２および第３の片端開放（短絡）矩形状共振電極２４（２５）・２６（２７）との重なり部分での電極間の電磁界結合量を、重なり部分の面積を大きくしてより強い電磁界結合量を得るか、または重なり部分の面積を小さくしてより弱い電磁界結合量を得ることによって、電磁界結合による共振回路を形成する分布定数的なＬおよびＣの値を変化させることができるので、減衰極を高域側もしくは低域側に変化させることができる。本実施例における本発明の積層ストリップラインフィルタにおいて、異なる減衰極を有するフィルタ特性を実現できるのは、第１〜第３の片端開放（短絡）矩形状共振電極の幅Ｗ２２〜Ｗ２７、および第１の片端開放（短絡）矩形状共振電極２２（２３）と第２および第３の片端開放（短絡）矩形状共振電極２４（２５）・２６（２７）との重なり幅を、それぞれ異なる寸法で形成・配置したことから、共振電極の各々の重なり部分の形状が異なり、この結果、共振電極間の電磁界結合量もそれぞれ異なることから、互いに周波数の異なる減衰極を発生させることができるからである。
【００３６】
また、本発明の積層ストリップラインフィルタは、上記構成において、第１および第２の接地電極２０・２１を積層方向に電気的に接続する接続導体、または第１〜第３の片端短絡矩形状共振電極２３・２５・２７の短絡端２９および第１および第２の接地電極２０・２１を積層方向に電気的に接続する接続導体が誘電体層の内部に形成された貫通導体および／または側面に形成された側面導体であることを特徴とするものであり、これにより、積層された複数の誘電体層の内部に形成する積層ストリップラインフィルタの設計自由度が向上するとともに、小型で高性能な積層ストリップラインフィルタを提供することができる。
【００３７】
なお、本発明は以上の実施の形態の例に限定されるものではなく、本発明の要旨を逸脱しない範囲で種々の変更・改良を加えることは何ら差し支えない。
【００３８】
例えば、減衰極をさらに発生させたい場合、形状の異なる新たな共振器を追加してもよい。
【００３９】
【発明の効果】
本発明の積層ストリップラインフィルタによれば、第１の片端開放（短絡）矩形状共振電極と第２および第３の片端開放（短絡）矩形状共振電極との重なり幅をそれぞれ異なる寸法で形成したことから、第１と第２ならびに第１と第３の共振電極のそれぞれの重なり部分の形状が異なり、この結果、第１と第２ならびに第１と第３の共振電極間の電磁界結合量が異なることとなるので、互いに周波数の異なる減衰極を発生させることができる。
【００４０】
また、本発明の積層ストリップラインフィルタによれば、上記構成において、各接地電極が、または各片端短絡矩形状共振電極の短絡端および各接地電極が、誘電体層の内部に形成された貫通導体および／または側面に形成された側面導体により積層方向に電気的に接続されているときには、積層された複数の誘電体層の内部に形成する積層ストリップラインフィルタの設計自由度が向上するとともに、小型で高性能な積層ストリップラインを提供することができる。
【００４１】
以上のように、本発明によれば、積層ストリップラインフィルタにおいて、小型で、異なる周波数の減衰極をもつフィルタ特性を実現することのできる積層ストリップラインフィルタを提供することができた。
【図面の簡単な説明】
【図１】本発明の積層ストリップラインフィルタの実施の形態の一例を示す透視斜視図である。
【図２】本発明の積層ストリップラインフィルタの実施の形態の一例を示す透視平面図である。
【図３】図２におけるａ−ａ’線断面図である。
【図４】従来の積層ストリップラインフィルタの例を示す透視斜視図である。
【図５】従来の積層ストリップラインフィルタの例を示す透視平面図である。
【図６】図５におけるｂ−ｂ’線断面図である。
【図７】本発明の積層ストリップラインフィルタにおける挿入損失の例を示す線図である。
【符号の説明】
１０・・・第１の誘電体層
１１・・・第２の誘電体層
１２・・・第３の誘電体層
２０・・・第１の接地電極
２１・・・第２の接地電極
２２・・・第１の片端開放矩形状共振電極
２３・・・第１の片端短絡矩形状共振電極
２４・・・第２の片端開放矩形状共振電極
２５・・・第２の片端短絡矩形状共振電極
２６・・・第３の片端開放矩形状共振電極
２７・・・第３の片端短絡矩形状共振電極
２８・・・開放端
２９・・・短絡端
３０・・・第１の共振器
３１・・・第２の共振器
３２・・・第３の共振器
３３・・・入力端子（出力端子）
３４・・・出力端子（入力端子）
【図１】
2004260376.tif 000003
【図２】
2004260376.tif 000004
【図３】
2004260376.tif 000005
【図４】
2004260376.tif 000006
【図５】
2004260376.tif 000007
【図６】
2004260376.tif 000008
【図７】
2004260376.tif 000009